(57)【要約】  本願の実施例は無線通信用の方法及び装置を開示し、該方法は、第一端末装置のアクセス層コンテキスト識別子情報を取得することであって、該第一端末装置のアクセス層コンテキスト識別子情報は、第一アクセスネットワーク装置において第一端末装置に関する該第一端末装置のアクセス層コンテキスト情報を識別するために用いられることと、該第一端末装置にネットワークサービスを提供する第二アクセスネットワーク装置が該第一アクセスネットワーク装置から該第一端末装置のアクセス層コンテキスト情報を取得できるように、該第一端末装置のアクセス層コンテキスト識別子情報に基づき、該第一アクセスネットワーク装置を決定することと、を含む。本願の実施例の方法及び装置は、ネットワークオーバーヘッドを低下させることに有利である。
2021500766.tif 000002
【特許請求の範囲】
【請求項１】
無線通信用の方法であって、
第一端末装置のアクセス層コンテキスト識別子情報を取得することであって、前記第一端末装置のアクセス層コンテキスト識別子情報は、第一アクセスネットワーク装置において第一端末装置に関する前記第一端末装置のアクセス層コンテキスト情報を識別するために用いられることと、
前記第一端末装置にネットワークサービスを提供する第二アクセスネットワーク装置が前記第一アクセスネットワーク装置から前記第一端末装置のアクセス層コンテキスト情報を取得できるように、前記第一端末装置のアクセス層コンテキスト識別子情報に基づき、前記第一アクセスネットワーク装置を決定することと、を含むことを特徴とする、前記無線通信用の方法。
【請求項２】
前記第一端末装置のアクセス層コンテキスト識別子情報のうち前記第一アクセスネットワーク装置の情報を識別するための数字又はビットストリームが、前記第一アクセスネットワーク装置の識別子の数字又はビットストリームと異なることを特徴とする
請求項１に記載の方法。
【請求項３】
前記第一端末装置のアクセス層コンテキスト識別子情報に基づき、前記第一アクセスネットワーク装置を決定することは、
前記第一端末装置のアクセス層コンテキスト識別子情報及び第一マッピング関係に基づき、前記第一アクセスネットワーク装置を決定することであって、前記第一マッピング関係は、少なくとも１つの端末装置のアクセス層コンテキスト識別子情報と少なくとも１つのアクセスネットワーク装置の識別子との間のマッピング関係であり、前記少なくとも１つの端末装置は前記第一端末装置を含むことを含むことを特徴とする
請求項１又は２に記載の方法。
【請求項４】
前記第一マッピング関係は、前記第一端末装置のアクセス層コンテキスト識別子情報を含む少なくとも１つのアクセス層コンテキスト識別子情報と前記少なくとも１つのアクセスネットワーク装置の識別子との間の一対一のマッピング関係であることを特徴とする
請求項３に記載の方法。
【請求項５】
前記第一マッピング関係は、前記第一端末装置のアクセス層コンテキスト識別子情報の番号セグメント情報を含む少なくとも１つの番号セグメント情報と前記少なくとも１つのアクセスネットワーク装置の識別子との間の一対一のマッピング関係であることを特徴とする
請求項３に記載の方法。
【請求項６】
前記第一マッピング関係が前記第二アクセスネットワーク装置を含む前記少なくとも１つのアクセスネットワーク装置に予め構成されることを特徴とする
請求項３〜５のいずれか１項に記載の方法。
【請求項７】
前記第一マッピング関係がアクセス層コンテキスト識別子情報の解析に専用されることによりアクセスネットワーク装置の識別子を取得する１つのネットワークノードに予め構成されることを特徴とする
請求項３〜５のいずれか１項に記載の方法。
【請求項８】
前記第一端末装置のアクセス層コンテキスト識別子情報に基づき、前記第一アクセスネットワーク装置を決定することは、
前記第二アクセスネットワーク装置から取得された前記第一端末装置のアクセス層コンテキスト識別子情報に基づき、前記第一マッピング関係を問い合わせ且つ前記第一アクセスネットワーク装置の識別子を取得することを含むことを特徴とする
請求項７に記載の方法。
【請求項９】
前記第一端末装置のアクセス層コンテキスト識別子情報は前記第一アクセスネットワーク装置が前記第一端末装置に予め割り当てたものであることを特徴とする
請求項１〜８のいずれか１項に記載の方法。
【請求項１０】
第一端末装置のアクセス層コンテキスト識別子情報を取得することは、
前記第一端末装置が無線リソース制御（ＲＲＣ）非アクティブ状態にあり且つ伝送する必要があるデータがある場合、前記第一端末装置のアクセス層コンテキスト識別子情報を取得することを含むことを特徴とする
請求項１〜９のいずれか１項に記載の方法。
【請求項１１】
無線通信用の方法であって、
第一端末装置のアクセス層コンテキスト識別子情報を取得することであって、前記アクセス層コンテキスト識別子情報は、第一アクセスネットワーク装置において第一端末装置に関する前記第一端末装置のアクセス層コンテキスト情報を識別するために用いられることと、
第二アクセスネットワーク装置が前記アクセス層コンテキスト識別子情報に対応する前記第一アクセスネットワーク装置から前記アクセス層コンテキスト情報を取得できるように、前記第一端末装置にネットワークサービスを提供する前記第二アクセスネットワーク装置に前記アクセス層コンテキスト識別子情報を送信することと、を含むことを特徴とする、前記無線通信用の方法。
【請求項１２】
前記第一端末装置のアクセス層コンテキスト識別子情報のうち前記第一アクセスネットワーク装置の情報を識別するための数字又はビットストリームが、前記第一アクセスネットワーク装置の識別子の数字又はビットストリームと異なることを特徴とする
請求項１１に記載の方法。
【請求項１３】
前記アクセス層コンテキスト識別子情報と前記第一アクセスネットワーク装置の識別子との間にマッピング関係があることを特徴とする
請求項１１又は１２に記載の方法。
【請求項１４】
前記アクセス層コンテキスト識別子の番号セグメント情報と前記第一アクセスネットワーク装置の識別子との間にマッピング関係があることを特徴とする
請求項１１又は１２に記載の方法。
【請求項１５】
前記第一端末装置のアクセス層コンテキスト識別子情報は前記第一アクセスネットワーク装置が前記第一端末装置に予め割り当てたものであることを特徴とする
請求項１１〜１４のいずれか１項に記載の方法。
【請求項１６】
第一端末装置にネットワークサービスを提供する第二アクセスネットワーク装置に前記アクセス層コンテキスト識別子情報を送信することは、
前記第一端末装置が無線リソース制御（ＲＲＣ）非アクティブ状態にあり且つ伝送する必要があるデータがある場合、前記第二アクセスネットワーク装置に前記アクセス層コンテキスト識別子情報を送信することを含むことを特徴とする
請求項１１〜１５のいずれか１項に記載の方法。
【請求項１７】
第一端末装置にネットワークサービスを提供する第二アクセスネットワーク装置に前記アクセス層コンテキスト識別子情報を送信することは、
前記第二アクセスネットワーク装置に前記アクセス層コンテキスト識別子情報が含まれているＲＲＣ回復要求メッセージを送信することを含むことを特徴とする
請求項１１〜１６のいずれか１項に記載の方法。
【請求項１８】
無線通信用の装置であって、
第一端末装置のアクセス層コンテキスト識別子情報を取得するための取得ユニットであって、前記第一端末装置のアクセス層コンテキスト識別子情報は、第一アクセスネットワーク装置において第一端末装置に関する前記第一端末装置のアクセス層コンテキスト情報を識別するために用いられる取得ユニットと、
前記第一端末装置にネットワークサービスを提供する第二アクセスネットワーク装置が前記第一アクセスネットワーク装置から前記第一端末装置のアクセス層コンテキスト情報を取得できるように、前記第一端末装置のアクセス層コンテキスト識別子情報に基づき、前記第一アクセスネットワーク装置を決定するための決定ユニットと、を含むことを特徴とする、前記無線通信用の装置。
【請求項１９】
前記第一端末装置のアクセス層コンテキスト識別子情報のうち前記第一アクセスネットワーク装置の情報を識別するための数字又はビットストリームが、前記第一アクセスネットワーク装置の識別子の数字又はビットストリームと異なることを特徴とする
請求項１８に記載の装置。
【請求項２０】
前記決定ユニットは具体的に、
前記第一端末装置のアクセス層コンテキスト識別子情報及び第一マッピング関係に基づき、前記第一アクセスネットワーク装置を決定することに用いられ、前記第一マッピング関係は、少なくとも１つの端末装置のアクセス層コンテキスト識別子情報と少なくとも１つのアクセスネットワーク装置の識別子との間のマッピング関係であり、前記少なくとも１つの端末装置は前記第一端末装置を含むことを特徴とする
請求項１８又は１９に記載の装置。
【請求項２１】
前記第一マッピング関係は、前記第一端末装置のアクセス層コンテキスト識別子情報を含む少なくとも１つのアクセス層コンテキスト識別子情報と前記少なくとも１つのアクセスネットワーク装置の識別子との間の一対一のマッピング関係であることを特徴とする
請求項２０に記載の装置。
【請求項２２】
前記第一マッピング関係は、前記第一端末装置のアクセス層コンテキスト識別子情報の番号セグメント情報を含む少なくとも１つの番号セグメント情報と前記少なくとも１つのアクセスネットワーク装置の識別子との間の一対一のマッピング関係であることを特徴とする
請求項２０に記載の装置。
【請求項２３】
前記装置が前記第二アクセスネットワーク装置であり、前記第一マッピング関係が前記第二アクセスネットワーク装置を含む前記少なくとも１つのアクセスネットワーク装置に予め構成されることを特徴とする
請求項２０〜２２のいずれか１項に記載の装置。
【請求項２４】
前記装置は、アクセスネットワーク装置の識別子を取得するためにアクセス層コンテキスト識別子情報の解析に専用される、前記第一マッピング関係が予め構成されたネットワークノードであることを特徴とする
請求項２０〜２２のいずれか１項に記載の装置。
【請求項２５】
前記決定ユニットは具体的に、
前記第二アクセスネットワーク装置から取得された前記第一端末装置のアクセス層コンテキスト識別子情報に基づき、前記第一マッピング関係を問い合わせ且つ前記第一アクセスネットワーク装置の識別子を取得することに用いられることを特徴とする
請求項２４に記載の装置。
【請求項２６】
前記第一端末装置のアクセス層コンテキスト識別子情報は前記第一アクセスネットワーク装置が前記第一端末装置に予め割り当てたものであることを特徴とする
請求項１８〜２５のいずれか１項に記載の装置。
【請求項２７】
前記取得ユニットは具体的に、
前記第一端末装置が無線リソース制御（ＲＲＣ）非アクティブ状態にあり且つ伝送する必要があるデータがある場合、前記第一端末装置のアクセス層コンテキスト識別子情報を取得することに用いられることを特徴とする
請求項１８〜２６のいずれか１項に記載の装置。
【請求項２８】
無線通信用の装置であって、
前記装置は第一端末装置であり、
前記第一端末装置のアクセス層コンテキスト識別子情報を取得するための取得ユニットであって、前記アクセス層コンテキスト識別子情報は、第一アクセスネットワーク装置において第一端末装置に関する前記第一端末装置のアクセス層コンテキスト情報を識別するために用いられる取得ユニットと、
第二アクセスネットワーク装置が前記アクセス層コンテキスト識別子情報に対応する前記第一アクセスネットワーク装置から前記アクセス層コンテキスト情報を取得できるように、第一端末装置にネットワークサービスを提供する前記第二アクセスネットワーク装置に前記アクセス層コンテキスト識別子情報を送信するための送信ユニットと、を含むことを特徴とする、前記無線通信用の装置。
【請求項２９】
前記第一端末装置のアクセス層コンテキスト識別子情報のうち前記第一アクセスネットワーク装置の情報を識別するための数字又はビットストリームが、前記第一アクセスネットワーク装置の識別子の数字又はビットストリームと異なることを特徴とする
請求項２８に記載の装置。
【請求項３０】
前記アクセス層コンテキスト識別子情報と前記第一アクセスネットワーク装置の識別子との間にマッピング関係があることを特徴とする
請求項２８又は２９に記載の装置。
【請求項３１】
前記アクセス層コンテキスト識別子の番号セグメント情報と前記第一アクセスネットワーク装置の識別子との間にマッピング関係があることを特徴とする
請求項２８又は２９に記載の装置。
【請求項３２】
前記第一端末装置のアクセス層コンテキスト識別子情報は前記第一アクセスネットワーク装置が前記第一端末装置に予め割り当てたものであることを特徴とする
請求項２８〜３１のいずれか１項に記載の装置。
【請求項３３】
前記送信ユニットは具体的に、
前記第一端末装置が無線リソース制御（ＲＲＣ）非アクティブ状態にあり且つ伝送する必要があるデータがある場合、前記第二アクセスネットワーク装置に前記アクセス層コンテキスト識別子情報を送信することに用いられることを特徴とする
請求項２８〜３２のいずれか１項に記載の装置。
【請求項３４】
前記送信ユニットは具体的に、
前記第二アクセスネットワーク装置に前記アクセス層コンテキスト識別子情報が含まれているＲＲＣ回復要求メッセージを送信することに用いられることを特徴とする
請求項２８〜３３のいずれか１項に記載の装置。
【発明の詳細な説明】
【技術分野】
【０００１】
本願の実施例は通信分野に関し、且つより具体的には、無線通信用の方法及び装置に関する。
【背景技術】
【０００２】
第五世代（５Ｇ）通信システムにおいて、端末は一定期間内にサービスがない場合、エアインタフェースのリソースを節約し、且つ端末の電量を節約するために、端末がアイドル状態又は非アクティブ状態に変換してもよい。端末装置が１つのセルから別のセルに移動する時、端末のアクセス層コンテキスト情報は、現在のセルのアクセスネットワーク装置を再構成する必要があり、それにより、ネットワークオーバーヘッドが大きくなることをもたらす。
【発明の概要】
【発明が解決しようとする課題】
【０００３】
これを鑑みて、本願の実施例はネットワークオーバーヘッドを低下させることに有利である無線通信用の方法及び装置を提供する。
【課題を解決するための手段】
【０００４】
第一態様に係る無線通信用の方法であって、第一端末装置のアクセス層コンテキスト識別子情報を取得することであって、該第一端末装置のアクセス層コンテキスト識別子情報は、第一アクセスネットワーク装置において第一端末装置に関する該第一端末装置のアクセス層コンテキスト情報を識別するために用いられることと、該第一端末装置にネットワークサービスを提供する第二アクセスネットワーク装置が該第一アクセスネットワーク装置から該第一端末装置のアクセス層コンテキスト情報を取得できるように、該第一端末装置のアクセス層コンテキスト識別子情報に基づき、該第一アクセスネットワーク装置を決定することと、を含む。
【０００５】
可能な１つの実現方式では、該第一端末装置のアクセス層コンテキスト識別子情報のうち該第一アクセスネットワーク装置の情報を識別するための数字又はビットストリームが該第一アクセスネットワーク装置の識別子の数字又はビットストリームと異なる。
【０００６】
端末装置のＵＥ  ＡＳ  Ｃｏｎｔｅｘｔ  ＩＤフォーマットを変更することにより、該ＵＥ  ＡＳ  Ｃｏｎｔｅｘｔ  ＩＤがアクセスネットワーク装置の識別子を直接含まず、端末装置はレセッシブ指示により、ネットワーク装置がアクセスネットワーク装置の識別子を取得でき、更に端末装置のアクセス層コンテキスト情報が記憶されるアクセス層装置から該端末装置のアクセス層コンテキスト情報を取得できる。エアインタフェースにおいてネットワーク及びユーザーのセキュリティプライバシーを保護するという目的を実現できる。
【０００７】
可能な１つの実現方式では、該第一端末装置のアクセス層コンテキスト識別子情報に基づき、該第一アクセスネットワーク装置を決定することは、該第一端末装置のアクセス層コンテキスト識別子情報及び第一マッピング関係に基づき、該第一アクセスネットワーク装置を決定することであって、該第一マッピング関係は少なくとも１つの端末装置のアクセス層コンテキスト識別子情報と少なくとも１つのアクセスネットワーク装置の識別子との間のマッピング関係であり、該少なくとも１つの端末装置は該第一端末装置を含むことを含む。
【０００８】
可能な１つの実現方式では、該第一マッピング関係は、該第一端末装置のアクセス層コンテキスト識別子情報を含む少なくとも１つのアクセス層コンテキスト識別子情報と該少なくとも１つのアクセスネットワーク装置の識別子との間の一対一のマッピング関係である。
【０００９】
可能な１つの実現方式では、該第一マッピング関係は、該第一端末装置のアクセス層コンテキスト識別子情報の番号セグメント情報を含む少なくとも１つの番号セグメント情報と該少なくとも１つのアクセスネットワーク装置の識別子との間の一対一のマッピング関係である。
【００１０】
可能な１つの実現方式では、該第一マッピング関係が第二アクセスネットワーク装置を含む該少なくとも１つのアクセスネットワーク装置に予め構成される。
【００１１】
可能な１つの実現方式では、該第一マッピング関係がアクセス層コンテキスト識別子情報の解析に専用されることによりアクセスネットワーク装置の識別子を取得する１つのネットワークノードに予め構成される。
【００１２】
可能な１つの実現方式では、該第一端末装置のアクセス層コンテキスト識別子情報に基づき、該第一アクセスネットワーク装置を決定することは、該第二アクセスネットワーク装置から取得された該第一端末装置のアクセス層コンテキスト識別子情報に基づき、該第一マッピング関係を問い合わせ且つ該第一アクセスネットワーク装置の識別子を取得することを含む。
【００１３】
可能な１つの実現方式では、該第一端末装置のアクセス層コンテキスト識別子情報は該第一アクセスネットワーク装置が該第一端末装置に予め割り当てたものである。
【００１４】
可能な１つの実現方式では、第一端末装置のアクセス層コンテキスト識別子情報を取得することは、該第一端末装置が無線リソース制御（ＲＲＣ）非アクティブ状態にあり且つ伝送する必要があるデータがある場合、該第一端末装置のアクセス層コンテキスト識別子情報を取得することを含む。
【００１５】
第二態様に係る無線通信用の方法であって、第一端末装置のアクセス層コンテキスト識別子情報を取得することであって、該アクセス層コンテキスト識別子情報は、第一アクセスネットワーク装置において第一端末装置に関する該第一端末装置のアクセス層コンテキスト情報を識別するために用いられることと、第二アクセスネットワーク装置が該アクセス層コンテキスト識別子情報に対応する該第一アクセスネットワーク装置から該アクセス層コンテキスト情報を取得できるように、第一端末装置にネットワークサービスを提供する第二アクセスネットワーク装置に該アクセス層コンテキスト識別子情報を送信することと、を含む。
【００１６】
可能な１つの実現方式では、該第一端末装置のアクセス層コンテキスト識別子情報のうち該第一アクセスネットワーク装置の情報を識別するための数字又はビットストリームが該第一アクセスネットワーク装置の識別子の数字又はビットストリームと異なる。
【００１７】
可能な１つの実現方式では、該アクセス層コンテキスト識別子情報と該第一アクセスネットワーク装置の識別子との間にマッピング関係がある。
【００１８】
可能な１つの実現方式では、該アクセス層コンテキスト識別子の番号セグメント情報と該第一アクセスネットワーク装置の識別子との間にマッピング関係がある。
【００１９】
可能な１つの実現方式では、該第一端末装置のアクセス層コンテキスト識別子情報は該第一アクセスネットワーク装置が該第一端末装置に予め割り当てたものである。
【００２０】
可能な１つの実現方式では、第一端末装置にネットワークサービスを提供する第二アクセスネットワーク装置に該アクセス層コンテキスト識別子情報を送信することは、該第一端末装置が無線リソース制御（ＲＲＣ）非アクティブ状態にあり且つ伝送する必要があるデータがある場合、該第二アクセスネットワーク装置に該アクセス層コンテキスト識別子情報を送信することを含む。
【００２１】
可能な１つの実現方式では、第一端末装置にネットワークサービスを提供する第二アクセスネットワーク装置に該アクセス層コンテキスト識別子情報を送信することは、該第二アクセスネットワーク装置に該アクセス層コンテキスト識別子情報が含まれているＲＲＣ回復要求メッセージを送信することを含む。
【００２２】
第三態様に係る無線通信用の装置であって、上記第一態様又は第一態様の任意の可能な実現方式における方法を実行することに用いられる。具体的には、該装置が上記第一態様又は第一態様の任意の可能な実現方式における方法を実行するためのユニットを含む。
【００２３】
第四態様に係る無線通信用の装置であって、上記第二態様又は第二態様の任意の可能な実現方式における方法を実行することに用いられる。具体的には、該装置が上記第二態様又は第二態様の任意の可能な実現方式における方法を実行するためのユニットを含む。
【００２４】
第五態様に係る装置であって、メモリ、プロセッサ、入力インタフェース及び出力インタフェースを含む。メモリ、プロセッサ、入力インタフェース及び出力インタフェースがバスシステムにより接続される。該メモリが命令を記憶することに用いられ、該プロセッサが該メモリに記憶される命令を実行することに用いられ、上記第一態様又は第一態様の任意の可能な実現方式における方法を実行することに用いられる。
【００２５】
第六態様に係る装置であって、メモリ、プロセッサ、入力インタフェース及び出力インタフェースを含む。メモリ、プロセッサ、入力インタフェース及び出力インタフェースがバスシステムにより接続される。該メモリが命令を記憶することに用いられ、該プロセッサが該メモリに記憶される命令を実行することに用いられ、上記第二態様又は第二態様の任意の可能な実現方式における方法を実行することに用いられる。
【００２６】
第七態様に係るコンピュータ記憶媒体であって、上記第一態様又は第一態様の任意の可能な実現方式における方法、又は上記第二態様又は第二態様の任意の可能な実現方式における方法、又は上記第三態様又は第三態様の任意の可能な実現方式における方法を実行するためのコンピュータソフトウェア命令を記憶することに用いられ、上記各態様を実行するために構成されるプログラムを含む。
【００２７】
第八態様に係る命令を含むコンピュータプログラム製品であって、コンピュータにおいて実行される時、コンピュータに上記第一態様又は第一態様のいずれか１つの選択可能な実現方式における方法、又は上記第二態様又は第二態様のいずれか１つの選択可能な実現方式における方法、又は上記第三態様又は第三態様のいずれか１つの選択可能な実現方式における方法を実行させる。
【００２８】
本願のこれらの態様又は他の態様は以下の実施例の説明ではより簡単で理解しやすくなる。
【図面の簡単な説明】
【００２９】
【図１】図１は本願の実施例の１つの適用シーンの模式図を示す。
【図２】図２は本願の実施例の無線通信用の方法の例示的なブロック図を示す。
【図３】図３は本願の実施例の無線通信用の方法の別の例示的なブロック図を示す。
【図４】図４は本願の実施例の無線通信用の装置の例示的なブロック図を示す。
【図５】図５は本願の実施例の無線通信用の装置の別の例示的なブロック図を示す。
【図６】図６は本願の実施例の無線通信用の装置の更に別の例示的なブロック図を示す。
【図７】図７は本願の実施例の無線通信用の装置の更に別の例示的なブロック図を示す。
【発明を実施するための形態】
【００３０】
以下では本願の実施例における図面を参照しながら、本願の実施例における技術案を明らかで完全に説明する。
【００３１】
本発明の実施例の技術案は様々な通信システム、たとえば：モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ＬＴＥシステム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新無線（ＮＲ：Ｎｅｗ  Ｒａｄｉｏ）又は将来の５Ｇシステムに適用されてもよいと理解すべきである。
【００３２】
特に、本願の実施例の技術案は非直交多元アクセス技術に基づく様々な通信システム、例えば疎コード多重アクセス（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システム等に適用されてもよく、更に、本願の実施例の技術案は非直交多元アクセス技術を用いたマルチキャリア伝送システム、例えば非直交多元アクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルタバンクマルチキャリア（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システム等に適用されてもよい。
【００３３】
本願の実施例における端末装置はユーザー装置（ＵＥ：Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、将来の５Ｇネットワークにおける端末装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）における端末装置等であってもよく、本願の実施例は制限しない。
【００３４】
本願の実施例におけるネットワーク機器は端末装置と通信するための装置であってもよく、該ネットワーク機器はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  ＮｏｄｅＢ）であってもよく、更にクラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線制御装置であってもよく、又は該ネットワーク機器は中継所、アクセスポイント、車載装置、ウェアラブルデバイス及び将来の５Ｇネットワークにおけるネットワーク機器又は将来発展するＰＬＭＮネットワークにおけるネットワーク機器等であってもよく、本願の実施例は制限しない。
【００３５】
図１は本願の実施例の１つの適用シーンの模式図である。図１における通信システムは端末装置１０及びネットワーク装置２０を含んでもよい。ネットワーク装置２０が端末装置１０に通信サービスを提供し且つコアネットワークにアクセスすることに用いられ、端末装置１０がネットワーク装置２０によって送信された同期信号、ブロードキャスト信号等を検索することによりネットワークにアクセスし、それにより、ネットワークとの通信を行う。図１に示される矢印は端末装置１０とネットワーク装置２０との間のセルラーリンクによって行われるアップリンク／ダウンリンク伝送を示すことができる。
【００３６】
図２は本願の実施例の無線通信用の方法１００の例示的なブロック図を示す。図２に示すように、該方法はネットワーク装置、たとえばアクセスネットワーク装置によって実行されてもよく、該方法１００は以下のステップの一部又は全部を含む。
【００３７】
Ｓ１１０において、第一端末装置のアクセス層コンテキスト識別子情報を取得し、該第一端末装置のアクセス層コンテキスト識別子情報は、第一アクセスネットワーク装置において第一端末装置に関する該第一端末装置のアクセス層コンテキスト情報を識別するために用いられる。
【００３８】
Ｓ１２０において、該第一端末装置にネットワークサービスを提供する第二アクセスネットワーク装置が該第一アクセスネットワーク装置から該第一端末装置のアクセス層コンテキスト情報を取得できるように、該第一端末装置のアクセス層コンテキスト識別子情報に基づき、該第一アクセスネットワーク装置を決定する。
【００３９】
具体的に、端末装置が１つのアクセスネットワーク装置によって被覆されるセルから別のアクセスネットワーク装置によって被覆されるセルに移動し且つ該端末装置のアクセス層コンテキスト情報が以前のアクセスネットワーク装置に記憶されている場合、この時、端末装置がサービスを開始する時、現在のアクセスネットワーク装置が端末装置又はコアネットワーク装置から該端末装置のアクセス層コンテキスト識別子情報を取得できると共に、該アクセス層のコンテキスト識別子情報も以前のアクセスネットワーク装置を指示することに用いることができれば、該現在のアクセスネットワーク装置が該端末装置のアクセス層コンテキスト識別子情報を解析でき、更に、現在のアクセスネットワーク装置が該アクセス層コンテキスト識別子情報に基づいて該アクセス層コンテキスト情報が記憶されるアクセスネットワーク装置を決定でき、それにより、現在のアクセスネットワーク装置は該アクセス層コンテキスト情報が記憶されるアクセスネットワーク装置から該アクセス層コンテキスト情報を取得できる。任意的に、現在のアクセスネットワーク装置が端末装置又はコアネットワーク装置によって送信されたアクセス層コンテキスト識別子情報を受信した後、現在のアクセスネットワーク装置は端末装置のアクセス層コンテキスト情報が記憶されるアクセスネットワーク装置の識別子を解析できないと、現在のアクセスネットワーク装置が該アクセス層コンテキスト識別子情報をアクセスネットワーク装置の識別子解析用の専門ネットワークノードに転送してもよく、該ネットワークノードが解析した後、解析されたアクセスネットワーク装置の識別子を現在のアクセスネットワーク装置に送信してもよく、更に、現在のアクセスネットワーク装置が解析されたアクセスネットワーク装置から該アクセス層コンテキスト情報を取得できる。
【００４０】
従って、本願の実施例の無線通信用の方法は、ネットワークオーバーヘッドを低下させることに有利である。
【００４１】
任意的に、本願の実施例では、第一端末装置のアクセス層コンテキスト識別子情報を取得することは、該第一端末装置が無線リソース制御（ＲＲＣ：Ｒａｄｉｏ  Ｒｅｓｏｕｒｃｅ  Ｃｏｎｔｒｏｌ）非アクティブ状態にあり且つ伝送する必要があるデータがある場合、該第一端末装置のアクセス層コンテキスト識別子情報を取得することを含む。
【００４２】
５Ｇにおいて、エアインタフェースシグナリングを削減し及び無線接続を迅速に回復し、データサービスを迅速に回復するという目的のために、新しいＲＲＣ状態、すなわちＲＲＣ非アクティブ状態を定義する。ＵＥがＲＲＣ非アクティブ状態にある場合、無線アクセスネットワーク（ＲＡＮ：Ｒａｄｉｏ  Ａｃｃｅｓｓ  Ｎｅｔｗｏｒｋ）とコアネットワーク（ＣＮ：Ｃｏｒｅ  Ｎｅｔｗｏｒｋ）との間のＵＥに向く接続が保持され、リリースしない。ダウンリンクデータが到着する時、ＲＡＮがページングメッセージを開始してＵＥを覚醒させてＲＲＣ接続回復を行い、データ受信を行い、ＵＥはアップリンクデータを送信する時、ＵＥはＲＲＣ接続回復過程を自主的に行い、データ送信を行う。ＵＥはＲＲＣ非アクティブ状態にある場合、ＵＥ及びＲＡＮ側にいずれもＵＥの現在のＵＥアクセス層（Ａｃｃｅｓｓ  Ｓｔｒａｔｕｍ：ＡＳ）コンテキスト（Ｃｏｎｔｅｘｔ）が記憶されており、このコンテキストを識別するために、ネットワーク側がＵＥに１つの識別子（ｉｄｅｎｔｉｔｙ：ＩＤ）、すなわちＵＥ  ＡＳ  Ｃｏｎｔｅｘｔ  ＩＤを割り当て，ＵＥ回復（Ｒｅｓｕｍｅ）識別子を割り当てもよい。ＲＲＣ非アクティブ状態にある端末装置がサービスを開始する状況では、該端末装置のアクセス層コンテキスト識別子情報、すなわち上記ＵＥ  ＡＳ  Ｃｏｎｔｅｘｔ  ＩＤを取得できる。
【００４３】
任意的に、本願の実施例では、前記第一端末装置のアクセス層コンテキスト識別子情報のうち前記第一アクセスネットワーク装置の情報を識別するための数字又はビットストリームが前記第一アクセスネットワーク装置の識別子の数字又はビットストリームと異なる。
【００４４】
具体的に、本願の実施例のＵＥ  ＡＳ  Ｃｏｎｔｅｘｔ  ＩＤが従来の技術におけるＵＥ  ＡＳ  Ｃｏｎｔｅｘｔ  ＩＤと異なり、従来の技術におけるＵＥ  ＡＳ  Ｃｏｎｔｅｘｔ  ＩＤがＲＲＣ回復要求メッセージにおいて伝送するのは本文伝送であり、且つＵＥ  ＡＳ  Ｃｏｎｔｅｘｔ  ＩＤが基地局ＩＤ情報を含み、たとえば、従来のＵＥ  ＡＳ  Ｃｏｎｔｅｘｔ  ＩＤが４０ｂｉｔの情報を含み、前の２０ｂｉｔがアクセスネットワーク装置の識別子である。従って、この情報暴露がネットワークの内部構造を開示すると共に、ユーザーのプライバシー権に影響を与え、それはＵＥのコンテキスト記憶ノード等を指示するからである。従って、本願の実施例の無線通信用の方法は、端末装置のＵＥ  ＡＳ  Ｃｏｎｔｅｘｔ  ＩＤフォーマットを変更することにより、該ＵＥ  ＡＳ  Ｃｏｎｔｅｘｔ  ＩＤがアクセスネットワーク装置の識別子を直接含まず、端末装置はレセッシブ指示により、ネットワーク装置がアクセスネットワーク装置の識別子を取得でき、更に端末装置のアクセス層コンテキスト情報が記憶されるアクセス層装置から該端末装置のアクセス層コンテキスト情報を取得できる。エアインタフェースにおいてネットワーク及びユーザーのセキュリティプライバシーを保護するという目的を実現できる。
【００４５】
任意的に、本願の実施例では、該第一端末装置のアクセス層コンテキスト識別子情報に基づき、該第一アクセスネットワーク装置を決定することは、該第一端末装置のアクセス層コンテキスト識別子情報及び第一マッピング関係に基づき、該第一アクセスネットワーク装置を決定することであって、該第一マッピング関係は少なくとも１つの端末装置のアクセス層コンテキスト識別子情報と少なくとも１つのアクセスネットワーク装置の識別子との間のマッピング関係であり、該少なくとも１つの端末装置は該第一端末装置を含むことを含む。
【００４６】
該ＵＥ  ＡＳ  Ｃｏｎｔｅｘｔ  ＩＤが従来の技術におけるＵＥ  ＡＳ  Ｃｏｎｔｅｘｔ  ＩＤと異なってもよく、たとえば、該ＵＥ  ＡＳ  Ｃｏｎｔｅｘｔ  ＩＤは１つのランダムビットストリーム又は数字であってもよく、該ＵＥ  ＡＳ  Ｃｏｎｔｅｘｔが記憶されるアクセスネットワーク装置の識別子を直接的に含まないと理解すべきである。該ＵＥ  ＡＳ  Ｃｏｎｔｅｘｔ  ＩＤと該ＵＥ  ＡＳ  Ｃｏｎｔｅｘｔが記憶されるアクセスネットワーク装置との間にマッピング関係があり、該マッピング関係が該ＵＥ  ＡＳ  Ｃｏｎｔｅｘｔ  ＩＤを取得する装置に記憶されてもよく、たとえば、該マッピング関係が上記第二アクセスネットワーク装置に記憶されてもよい。又は該マッピング関係がアクセス層コンテキスト識別子情報の解析に専用されることによりアクセスネットワーク装置の識別子を取得する１つのネットワークノードに記憶されてもよい。
【００４７】
任意的に、該マッピング関係が１つのマッピングテーブルであってもよく、該マッピングテーブルが複数の端末装置のＵＥ  ＡＳ  Ｃｏｎｔｅｘｔ  ＩＤと複数のアクセスネットワーク装置の識別子との間のマッピング関係を含んでもよく、該複数の端末装置が該第一端末装置を含んでもよい。
【００４８】
任意的に、該マッピングテーブルが端末装置のＵＥ  ＡＳ  Ｃｏｎｔｅｘｔ  ＩＤとアクセスネットワーク装置の識別子との間に一対一対応するマッピング関係であってもよい。更に一対多であってもよく、たとえば、複数の端末装置のＵＥ  ＡＳ  Ｃｏｎｔｅｘｔ  ＩＤが１つのアクセスネットワーク装置の識別子に対応してもよい。
【００４９】
任意的に、該マッピング関係が更にＵＥ  ＡＳ  Ｃｏｎｔｅｘｔ  ＩＤとアクセスネットワーク装置の他の情報との対応であってもよく、たとえば、ＵＥ  ＡＳ  Ｃｏｎｔｅｘｔ  ＩＤとアクセスネットワーク装置の位置情報であってもよい。要するに、ＵＥ  ＡＳ  Ｃｏｎｔｅｘｔ  ＩＤと１つのアクセスネットワーク装置を一意に決定できる情報との間のマッピング関係がいずれも本願の実施例の保護範囲内にあり得る。
【００５０】
任意的に、該マッピング関係が更に複数の端末装置のアクセス層コンテキスト識別子の番号セグメント情報と複数のアクセスネットワーク装置との間のマッピング関係であってもよい。同一アクセスネットワーク装置が割り当てたＵＥ  ＡＳ  Ｃｏｎｔｅｘｔ  ＩＤは同一番号セグメントに属することを決めてもよく、たとえば、あるアクセスネットワーク装置が操作管理及びメンテナンス（Ｏｐｅｒａｔｉｏｎ  Ａｄｍｉｎｉｓｔｒａｔｉｏｎ  ａｎｄ  Ｍａｉｎｔｅｎａｎｃｅ、ＯＡＭ）により１つの番号セグメントと該アクセスネットワーク装置の識別子との間のマッピング関係を予め構成でき、且つ他のアクセスネットワーク装置の識別子と番号セグメントとの間のマッピング関係を取得でき、このようにして、端末装置のアクセス層コンテキスト識別子を取得した後、まず該アクセス層コンテキスト識別子情報がどの番号セグメントに属するかを取得でき、更に番号セグメント情報とアクセス層装置の識別子との間のマッピング関係に基づき、対応するアクセス層装置の識別子を問い合わせて取得することができると理解すべきである。
【００５１】
任意的に、本願の実施例では、該第一端末装置のアクセス層コンテキスト識別子情報は該第一アクセスネットワーク装置が該第一端末装置に予め割り当てたものである。
【００５２】
当業者であれば、端末装置が第一アクセスネットワーク装置に端末装置のアクセス層コンテキスト情報を作成した後、第一アクセスネットワーク装置は端末装置がＲＲＣ非アクティブ状態に入ることと指示でき、このようにして、それと同時に、第一アクセス層装置が該端末装置のアクセス層コンテキスト情報に１つの識別子情報、すなわち本願の実施例におけるＵＥ  ＡＳ  Ｃｏｎｔｅｘｔ  ＩＤを割り当てることができると理解する。
【００５３】
以下では解析端末装置のアクセス層コンテキスト識別子を有することでアクセス層装置の識別子機能を取得する異なる装置の角度を参照しながら本願の実施例を説明する。
【００５４】
任意的に、上記解析機能を有する装置は上記第二アクセスネットワーク装置であってもよい。
【００５５】
具体的に、第一端末装置が該第一端末装置のアクセス層コンテキスト識別子情報を第二アクセスネットワーク装置に送信でき、第二アクセスネットワーク装置が該第一端末装置のアクセス層コンテキスト識別子情報及び上記様々なマッピング関係に基づき、第一アクセスネットワーク装置、たとえば第一アクセスネットワーク装置の識別子を決定できる。さらに、第二アクセスネットワーク装置が第一アクセスネットワーク装置に第一端末装置のアクセス層コンテキスト情報を取得する要求を送信でき、第一アクセスネットワーク装置が該要求に基づいて第二アクセスネットワーク装置に該第一端末装置のアクセス層コンテキスト情報を送信でき、第二アクセスネットワーク装置が該第一端末装置のアクセス層コンテキスト情報を受信した後、第一端末装置と無線通信を行うことができる。
【００５６】
任意的に、上記解析機能を有する装置はアクセス層コンテキスト識別子の解析を専門に担当する１つのネットワークノードであってもよい。
【００５７】
具体的に、第一端末装置が該第一端末装置のアクセス層コンテキスト識別子情報を第二アクセスネットワーク装置に送信でき、第二アクセスネットワーク装置が該第一端末装置のアクセス層コンテキスト識別子情報を該ネットワークノードに転送でき、該ネットワークノードが該第一端末装置のアクセス層コンテキスト識別子情報及び上記様々なマッピング関係に基づき、第一アクセスネットワーク装置、たとえば第一アクセスネットワーク装置の識別子を決定できる。該ネットワークノードが決定された第一アクセスネットワーク装置の識別子を第二アクセスネットワーク装置に送信でき、更に、第二アクセスネットワーク装置が第一アクセスネットワーク装置に第一端末装置のアクセス層コンテキスト情報を取得する要求を送信でき、第一アクセスネットワーク装置が該要求に基づいて第二アクセスネットワーク装置に該第一端末装置のアクセス層コンテキスト情報を送信でき、第二アクセスネットワーク装置が該第一端末装置のアクセス層コンテキスト情報を受信した後、第一端末装置と無線通信を行うことができる。
【００５８】
図３は本願の実施例の無線通信用の方法２００の例示的なブロック図を示す。図３に示すように、該方法は端末装置によって実行されてもよく、該方法２００は以下のステップの一部又は全部を含む。
【００５９】
Ｓ２１０において、第一端末装置のアクセス層コンテキスト識別子情報を取得し、該第一端末装置のアクセス層コンテキスト識別子情報は、第一アクセスネットワーク装置において第一端末装置に関する該第一端末装置のアクセス層コンテキスト情報を識別するために用いられる。
【００６０】
Ｓ２２０において、第二アクセスネットワーク装置が該アクセス層コンテキスト識別子情報に対応する該第一アクセスネットワーク装置から該第一端末装置のアクセス層コンテキスト情報を取得できるように、第一端末装置にネットワークサービスを提供する第二アクセスネットワーク装置に該アクセス層コンテキスト識別子情報を送信する。
【００６１】
従って、本願の実施例の無線通信用の方法は、ネットワークオーバーヘッドを低下させることに有利である。
【００６２】
任意的に、本願の実施例では、該第一端末装置のアクセス層コンテキスト識別子情報のうち該第一アクセスネットワーク装置の情報を識別するための数字又はビットストリームが、該第一アクセスネットワーク装置の識別子の数字又はビットストリームと異なる。
【００６３】
端末装置のＵＥ  ＡＳ  Ｃｏｎｔｅｘｔ  ＩＤフォーマットを変更することにより、該ＵＥ  ＡＳ  Ｃｏｎｔｅｘｔ  ＩＤがアクセスネットワーク装置の識別子を直接含まず、端末装置はレセッシブ指示により、ネットワーク装置がアクセスネットワーク装置の識別子を取得でき、更に端末装置のアクセス層コンテキスト情報が記憶されるアクセス層装置から該端末装置のアクセス層コンテキスト情報を取得できる。エアインタフェースにおいてネットワーク及びユーザーのセキュリティプライバシーを保護するという目的を実現できる。
【００６４】
任意的に、本願の実施例では、該アクセス層コンテキスト識別子情報と該第一アクセスネットワーク装置の識別子との間にマッピング関係がある。
【００６５】
任意的に、本願の実施例では、該アクセス層コンテキスト識別子の番号セグメント情報と該第一アクセスネットワーク装置の識別子との間にマッピング関係がある。
【００６６】
任意的に、本願の実施例では、該第一端末装置のアクセス層コンテキスト識別子情報は該第一アクセスネットワーク装置が該第一端末装置に予め割り当てたものである。
【００６７】
任意的に、本願の実施例では、第一端末装置にネットワークサービスを提供する第二アクセスネットワーク装置に該アクセス層コンテキスト識別子情報を送信することは、該第一端末装置が無線リソース制御（ＲＲＣ）非アクティブ状態にあり且つ伝送する必要があるデータがある場合、該第二アクセスネットワーク装置に該アクセス層コンテキスト識別子情報を送信することを含む。
【００６８】
任意的に、本願の実施例では、第一端末装置にネットワークサービスを提供する第二アクセスネットワーク装置に該アクセス層コンテキスト識別子情報を送信することは、該第二アクセスネットワーク装置に該アクセス層コンテキスト識別子情報が含まれているＲＲＣ回復要求メッセージを送信することを含む。
【００６９】
上記で本願の実施例による無線通信用の方法を詳細に説明し、以下では、図４〜図７を参照しながら、本願の実施例による無線通信用の装置を説明し、方法の実施例に説明される技術的特徴が以下の装置実施例に適す。
【００７０】
図４は本願の実施例の無線通信用の装置３００の例示的なブロック図を示す。図４に示すように、該装置３００は、
第一端末装置のアクセス層コンテキスト識別子情報を取得するための取得ユニット３１０であって、前記第一端末装置のアクセス層コンテキスト識別子情報は、第一アクセスネットワーク装置において第一端末装置に関する前記第一端末装置のアクセス層コンテキスト情報を識別するために用いられる取得ユニット３１０と、
前記第一端末装置にネットワークサービスを提供する第二アクセスネットワーク装置が前記第一アクセスネットワーク装置から前記第一端末装置のアクセス層コンテキスト情報を取得できるように、前記第一端末装置のアクセス層コンテキスト識別子情報に基づき、前記第一アクセスネットワーク装置を決定するための決定ユニット３２０と、を含む。
【００７１】
従って、本願の実施例の無線通信用の装置は、ネットワークオーバーヘッドを低下させることに有利である。
【００７２】
任意的に、本願の実施例では、前記第一端末装置のアクセス層コンテキスト識別子情報のうち前記第一アクセスネットワーク装置の情報を識別するための数字又はビットストリームが前記第一アクセスネットワーク装置の識別子の数字又はビットストリームと異なる。
【００７３】
端末装置のＵＥ  ＡＳ  Ｃｏｎｔｅｘｔ  ＩＤフォーマットを変更することにより、該ＵＥ  ＡＳ  Ｃｏｎｔｅｘｔ  ＩＤがアクセスネットワーク装置の識別子を直接含まず、端末装置はレセッシブ指示により、ネットワーク装置がアクセスネットワーク装置の識別子を取得でき、更に端末装置のアクセス層コンテキスト情報が記憶されるアクセス層装置から該端末装置のアクセス層コンテキスト情報を取得できる。エアインタフェースにおいてネットワーク及びユーザーのセキュリティプライバシーを保護するという目的を実現できる。
【００７４】
任意的に、本願の実施例では、前記決定ユニットは具体的に、前記第一端末装置のアクセス層コンテキスト識別子情報及び第一マッピング関係に基づき、前記第一アクセスネットワーク装置を決定することに用いられ、前記第一マッピング関係は少なくとも１つの端末装置のアクセス層コンテキスト識別子情報と少なくとも１つのアクセスネットワーク装置の識別子との間のマッピング関係であり、前記少なくとも１つの端末装置は前記第一端末装置を含む。
【００７５】
任意的に、本願の実施例では、前記第一マッピング関係は前記少なくとも１つの端末装置のアクセス層コンテキスト識別子情報と前記少なくとも１つのアクセスネットワーク装置識別子との間の一対一のマッピング関係である。
【００７６】
任意的に、本願の実施例では、前記第一マッピング関係は、前記第一端末装置のアクセス層コンテキスト識別子情報の番号セグメント情報を含む少なくとも１つの番号セグメント情報と前記少なくとも１つのアクセスネットワーク装置の識別子との間の一対一のマッピング関係である。
【００７７】
任意的に、本願の実施例では、前記装置が前記第二アクセスネットワーク装置であり、前記第一マッピング関係が前記第二アクセスネットワーク装置を含む前記少なくとも１つのアクセスネットワーク装置に予め構成される。
【００７８】
任意的に、本願の実施例では、前記装置は、アクセスネットワーク装置の識別子を取得するためにアクセス層コンテキスト識別子情報の解析に専用される、前記第一マッピング関係が予め構成されたネットワークノードである。
【００７９】
任意的に、本願の実施例では、前記決定ユニットは具体的に、前記第二アクセスネットワーク装置から取得された前記第一端末装置のアクセス層コンテキスト識別子情報に基づき、前記第一マッピング関係を問い合わせ且つ前記第一アクセスネットワーク装置の識別子を取得することに用いられる。
【００８０】
任意的に、本願の実施例では、前記第一端末装置のアクセス層コンテキスト識別子情報は前記第一アクセスネットワーク装置が前記第一端末装置に予め割り当てたものである。
【００８１】
任意的に、本願の実施例では、前記取得ユニットは具体的に、前記第一端末装置が無線リソース制御（ＲＲＣ）非アクティブ状態にあり且つ伝送する必要があるデータがある場合、前記第一端末装置のアクセス層コンテキスト識別子情報を取得することに用いられる。
【００８２】
本願の実施例による装置３００は本願の方法１００実施例における実行主体に対応でき、且つ装置３００における各ユニットの上記説明及び他の操作及び／又は機能がそれぞれ図２の方法の実行主体の対応プロセスを実現するためのものであり、簡潔にするために、ここで詳細な説明は省略すると理解すべきである。図５は本願の実施例の無線通信用の装置４００の例示的なブロック図を示す。図５に示すように、該装置は第一端末装置であり、該装置４００は、
前記第一端末装置のアクセス層コンテキスト識別子情報を取得するための取得ユニット４１０であって、前記アクセス層コンテキスト識別子情報は、第一アクセスネットワーク装置において第一端末装置に関する前記第一端末装置のアクセス層コンテキスト情報を識別するために用いられる取得ユニット４１０と、
第二アクセスネットワーク装置が前記アクセス層コンテキスト識別子情報に対応する前記第一アクセスネットワーク装置から前記アクセス層コンテキスト情報を取得できるように、第一端末装置にネットワークサービスを提供する第二アクセスネットワーク装置に前記アクセス層コンテキスト識別子情報を送信するための送信ユニット４２０と、を含む。
【００８３】
従って、本願の実施例の無線通信用の装置は、ネットワークオーバーヘッドを低下させることに有利である。
【００８４】
任意的に、本願の実施例では、前記第一端末装置のアクセス層コンテキスト識別子情報のうち前記第一アクセスネットワーク装置の情報を識別するための数字又はビットストリームが前記第一アクセスネットワーク装置の識別子の数字又はビットストリームと異なる。
【００８５】
端末装置のＵＥ  ＡＳ  Ｃｏｎｔｅｘｔ  ＩＤフォーマットを変更することにより、該ＵＥ  ＡＳ  Ｃｏｎｔｅｘｔ  ＩＤがアクセスネットワーク装置の識別子を直接含まず、端末装置はレセッシブ指示により、ネットワーク装置がアクセスネットワーク装置の識別子を取得でき、更に端末装置のアクセス層コンテキスト情報が記憶されるアクセス層装置から該端末装置のアクセス層コンテキスト情報を取得できる。エアインタフェースにおいてネットワーク及びユーザーのセキュリティプライバシーを保護するという目的を実現できる。
【００８６】
任意的に、本願の実施例では、前記アクセス層コンテキスト識別子情報と前記第一アクセスネットワーク装置の識別子との間にマッピング関係がある。
【００８７】
任意的に、本願の実施例では、前記アクセス層コンテキスト識別子の番号セグメント情報と前記第一アクセスネットワーク装置の識別子との間にマッピング関係がある。
【００８８】
任意的に、本願の実施例では、前記第一端末装置のアクセス層コンテキスト識別子情報は前記第一アクセスネットワーク装置が前記第一端末装置に予め割り当てたものである。
【００８９】
任意的に、本願の実施例では、前記送信ユニットは具体的に、前記第一端末装置が無線リソース制御（ＲＲＣ）非アクティブ状態にあり且つ伝送する必要があるデータがある場合、前記第二アクセスネットワーク装置に前記アクセス層コンテキスト識別子情報を送信することに用いられる。
【００９０】
任意的に、本願の実施例では、前記送信ユニットは具体的に、前記第二アクセスネットワーク装置に前記アクセス層コンテキスト識別子情報が含まれているＲＲＣ回復要求メッセージを送信することに用いられる。
【００９１】
本願の実施例による装置４００は本願の方法２００実施例における実行主体に対応でき、且つ装置４００における各ユニットの上記説明及びその操作及び／又は機能がそれぞれ図３方法の実行主体の対応プロセスを実現するためのものであり、簡潔にするために、ここで詳細な説明は省略すると理解すべきである。
【００９２】
図６に示すように、本願の実施例は更に無線通信用の装置５００を提供し、該装置５００は図４における装置３００であってもよく、図２の方法１００に対応する装置のステップを実行することに用いることができる。該装置５００は入力インタフェース５１０、出力インタフェース５２０、プロセッサ５３０及びメモリ５４０を含み、該入力インタフェース５１０、出力インタフェース５２０、プロセッサ５３０及びメモリ５４０がバスシステムによって接続できる。該メモリ５４０がプログラム、命令又はコードを記憶して含むことに用いられる。該プロセッサ５３０は、該メモリ５４０におけるプログラム、命令又はコードを実行することにより、入力インタフェース５１０が信号を受信するように制御し、出力インタフェース５２０が信号を送信し及び上記方法の実施例における操作を完了するように制御することに用いられる。
【００９３】
従って、本願の実施例の無線通信用の装置は、ネットワークオーバーヘッドを低下させることに有利である。
【００９４】
本願の実施例において、該プロセッサ５３０は中央処理装置（ＣＰＵ：Ｃｅｎｔｒａｌ  Ｐｒｏｃｅｓｓｉｎｇ  Ｕｎｉｔ）であってもよく、該プロセッサ５３０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、更にいかなる通常のプロセッサ等であってもよい。
【００９５】
該メモリ５４０が読み出し専用メモリ及びランダムアクセスメモリを含んでもよく、且つプロセッサ５３０に命令及びデータを提供する。メモリ５４０の一部が更に不揮発性ランダムアクセスメモリを含んでもよい。たとえば、メモリ５４０に更に装置タイプ情報が記憶されてもよい。
【００９６】
実現過程において、上記方法の各ステップはプロセッサ５３０におけるハードウェアの集積論理回路又はソフトウェア形式の命令で完了してもよい。本願の実施例に開示される方法のステップはハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ５４０に位置し、プロセッサ５３０がメモリ５４０における情報を読み取り、そのハードウェアと組み合わせて上記方法のステップを完了する。重複を避けるため、詳細な説明は省略する。
【００９７】
具体的な一実施形態では、装置３００の取得ユニット及び決定ユニットは図６におけるプロセッサ５３０によって実現されてもよい。
【００９８】
図７に示すように、本願の実施例が更に無線通信用の装置６００を提供し、該装置６００は図５における装置４００であってもよく、図３の方法２００に対応する第一端末装置のステップを実行することに用いることができる。該装置６００は入力インタフェース６１０、出力インタフェース６２０、プロセッサ６３０及びメモリ６４０を含み、該入力インタフェース６１０、出力インタフェース６２０、プロセッサ６３０及びメモリ６４０がバスシステムによって接続できる。該メモリ６４０がプログラム、命令又はコードを記憶して含むことに用いられる。該プロセッサ６３０が該メモリ６４０におけるプログラム、命令又はコードを実行することにより、入力インタフェース６１０が信号を受信するように制御し、出力インタフェース６２０が信号を送信し及び上記方法の実施例における操作を完了するように制御することに用いられる。
【００９９】
従って、本願の実施例の無線通信用の装置は、ネットワークオーバーヘッドを低下させることに有利である。
【０１００】
本願の実施例において、該プロセッサ６３０は中央処理装置（ＣＰＵ：Ｃｅｎｔｒａｌ  Ｐｒｏｃｅｓｓｉｎｇ  Ｕｎｉｔ）であってもよく、該プロセッサ６３０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１０１】
該メモリ６４０は読み出し専用メモリ及びランダムアクセスメモリを含んでもよく、且つプロセッサ６３０に命令及びデータを提供する。メモリ６４０の一部は更に不揮発性ランダムアクセスメモリを含んでもよい。例えば、メモリ６４０に更に装置タイプ情報が記憶されてもよい。
【０１０２】
実現過程において、上記方法の各ステップはプロセッサ６３０におけるハードウェアの集積論理回路又はソフトウェア形式の命令で完了してもよい。本発明の実施例に開示される方法のステップはハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ６４０に位置し、プロセッサ６３０がメモリ６４０における情報を読み取り、そのハードウェアと組み合わせて上記方法のステップを完了する。重複を避けるため、詳細な説明は省略する。
【０１０３】
具体的な一実施形態では、装置４００の送信ユニットは図７における出力インタフェース６２０によって実現されてもよく、装置４００の取得ユニットは図７におけるプロセッサ６３０によって実現されてもよい。
【０１０４】
当業者であれば、本文に開示される実施例を参照して説明した各例示的なユニット及びアルゴリズムステップは、電子ハードウェア、コンピュータソフトウェア及びそれらの組み合わせで実現されてもよい。これらの機能をハードウェア又はソフトウェア方式で実行するかは、技術案の特定応用及び設計制約条件によって決定される。当業者は各特定応用に対して異なる方法で説明される機能を実現することができるが、このような実現は本願の実施例の範囲を超えると見なされるべきではない。
【０１０５】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１０６】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１０７】
分離部材として説明される該ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１０８】
また、本願の各実施例において、各機能ユニットは１つの処理ユニットに統合されてもよく、各ユニットは独立して物理的に存在してもよく、２つ又は２つ以上のユニットは１つのユニットに統合されてもよい。
【０１０９】
該機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の部分はソフトウェア製品の形式で具現されてもよく、該コンピュータソフトウェア製品は、１台のコンピュータ装置（パーソナルコンピュータ、サーバ又はネットワーク機器等であってもよい）に本願の各実施例における全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１１０】
以上の説明は、本願の具体的な実施形態であって、本願の保護範囲を制限するためのものではなく、当業者が本発明に開示される技術的範囲内に容易に想到し得る変更又は置換は、いずれも本発明の保護範囲内に含まれるべきである。従って、本願の保護範囲は特許請求の範囲に準じるべきである。
【図１】
2021500766.tif 000003
【図２】
2021500766.tif 000004
【図３】
2021500766.tif 000005
【図４】
2021500766.tif 000006
【図５】
2021500766.tif 000007
【図６】
2021500766.tif 000008
【図７】
2021500766.tif 000009
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
無線通信用の方法であって、
第一端末装置のアクセス層コンテキスト識別子情報を取得することであって、前記第一端末装置のアクセス層コンテキスト識別子情報は、第一アクセスネットワーク装置において第一端末装置に関する前記第一端末装置のアクセス層コンテキスト情報を識別するために用いられることと、
前記第一端末装置にネットワークサービスを提供する第二アクセスネットワーク装置が前記第一アクセスネットワーク装置から前記第一端末装置のアクセス層コンテキスト情報を取得できるように、前記第一端末装置のアクセス層コンテキスト識別子情報に基づき、前記第一アクセスネットワーク装置を決定することと、を含むことを特徴とする、前記無線通信用の方法。
【請求項２】
前記第一端末装置のアクセス層コンテキスト識別子情報のうち前記第一アクセスネットワーク装置の情報を識別するための数字又はビットストリームが、前記第一アクセスネットワーク装置の識別子の数字又はビットストリームと異なることを特徴とする
請求項１に記載の方法。
【請求項３】
前記第一端末装置のアクセス層コンテキスト識別子情報に基づき、前記第一アクセスネットワーク装置を決定することは、
前記第一端末装置のアクセス層コンテキスト識別子情報及び第一マッピング関係に基づき、前記第一アクセスネットワーク装置を決定することであって、前記第一マッピング関係は、少なくとも１つの端末装置のアクセス層コンテキスト識別子情報と少なくとも１つのアクセスネットワーク装置の識別子との間のマッピング関係であり、前記少なくとも１つの端末装置は前記第一端末装置を含むことを含むことを特徴とする
請求項１又は２に記載の方法。
【請求項４】
前記第一マッピング関係は、前記第一端末装置のアクセス層コンテキスト識別子情報を含む少なくとも１つのアクセス層コンテキスト識別子情報と前記少なくとも１つのアクセスネットワーク装置の識別子との間の一対一のマッピング関係であり、又は
前記第一マッピング関係は、前記第一端末装置のアクセス層コンテキスト識別子情報の番号セグメント情報を含む少なくとも１つの番号セグメント情報と前記少なくとも１つのアクセスネットワーク装置の識別子との間の一対一のマッピング関係であることを特徴とする
請求項３に記載の方法。
【請求項５】
前記第一マッピング関係が前記第二アクセスネットワーク装置を含む前記少なくとも１つのアクセスネットワーク装置に予め構成されることを特徴とする
請求項３又は４に記載の方法。
【請求項６】
前記第一マッピング関係がアクセス層コンテキスト識別子情報の解析に専用されることによりアクセスネットワーク装置の識別子を取得する１つのネットワークノードに予め構成されることを特徴とする
請求項３又は４に記載の方法。
【請求項７】
前記第一端末装置のアクセス層コンテキスト識別子情報に基づき、前記第一アクセスネットワーク装置を決定することは、
前記第二アクセスネットワーク装置から取得された前記第一端末装置のアクセス層コンテキスト識別子情報に基づき、前記第一マッピング関係を問い合わせ且つ前記第一アクセスネットワーク装置の識別子を取得することを含むことを特徴とする
請求項６に記載の方法。
【請求項８】
前記第一端末装置のアクセス層コンテキスト識別子情報は前記第一アクセスネットワーク装置が前記第一端末装置に予め割り当てたものであり、
及び／又は
第一端末装置のアクセス層コンテキスト識別子情報を取得することは、
前記第一端末装置が無線リソース制御（ＲＲＣ）非アクティブ状態にあり且つ伝送する必要があるデータがある場合、前記第一端末装置のアクセス層コンテキスト識別子情報を取得することを含むことを特徴とする
請求項１〜７のいずれか１項に記載の方法。
【請求項９】
無線通信用の方法であって、
第一端末装置のアクセス層コンテキスト識別子情報を取得することであって、前記アクセス層コンテキスト識別子情報は、第一アクセスネットワーク装置において第一端末装置に関する前記第一端末装置のアクセス層コンテキスト情報を識別するために用いられることと、
第二アクセスネットワーク装置が前記アクセス層コンテキスト識別子情報に対応する前記第一アクセスネットワーク装置から前記アクセス層コンテキスト情報を取得できるように、前記第一端末装置にネットワークサービスを提供する前記第二アクセスネットワーク装置に前記アクセス層コンテキスト識別子情報を送信することと、を含むことを特徴とする、前記無線通信用の方法。
【請求項１０】
前記第一端末装置のアクセス層コンテキスト識別子情報のうち前記第一アクセスネットワーク装置の情報を識別するための数字又はビットストリームが、前記第一アクセスネットワーク装置の識別子の数字又はビットストリームと異なることを特徴とする
請求項９に記載の方法。
【請求項１１】
前記アクセス層コンテキスト識別子情報と前記第一アクセスネットワーク装置の識別子との間にマッピング関係があり、又は
前記アクセス層コンテキスト識別子の番号セグメント情報と前記第一アクセスネットワーク装置の識別子との間にマッピング関係があることを特徴とする
請求項９又は１０に記載の方法。
【請求項１２】
前記第一端末装置のアクセス層コンテキスト識別子情報は前記第一アクセスネットワーク装置が前記第一端末装置に予め割り当てたものであり、
及び／又は
第一端末装置にネットワークサービスを提供する第二アクセスネットワーク装置に前記アクセス層コンテキスト識別子情報を送信することは、
前記第一端末装置が無線リソース制御（ＲＲＣ）非アクティブ状態にあり且つ伝送する必要があるデータがある場合、前記第二アクセスネットワーク装置に前記アクセス層コンテキスト識別子情報を送信することを含むことを特徴とする
請求項９〜１１のいずれか１項に記載の方法。
【請求項１３】
第一端末装置にネットワークサービスを提供する第二アクセスネットワーク装置に前記アクセス層コンテキスト識別子情報を送信することは、
前記第二アクセスネットワーク装置に前記アクセス層コンテキスト識別子情報が含まれているＲＲＣ回復要求メッセージを送信することを含むことを特徴とする
請求項９〜１２のいずれか１項に記載の方法。
【請求項１４】
無線通信用の装置であって、
前記装置は請求項１〜８のいずれかに記載の方法を実行するように構成され、
第一端末装置のアクセス層コンテキスト識別子情報を取得するための取得ユニットであって、前記第一端末装置のアクセス層コンテキスト識別子情報は、第一アクセスネットワーク装置において第一端末装置に関する前記第一端末装置のアクセス層コンテキスト情報を識別するために用いられる取得ユニットと、
前記第一端末装置にネットワークサービスを提供する第二アクセスネットワーク装置が前記第一アクセスネットワーク装置から前記第一端末装置のアクセス層コンテキスト情報を取得できるように、前記第一端末装置のアクセス層コンテキスト識別子情報に基づき、前記第一アクセスネットワーク装置を決定するための決定ユニットと、を含むことを特徴とする、前記無線通信用の装置。
【請求項１５】
無線通信用の装置であって、
前記装置は請求項９〜１３のいずれかに記載の方法を実行するように構成される第一端末装置であり、
前記第一端末装置のアクセス層コンテキスト識別子情報を取得するための取得ユニットであって、前記アクセス層コンテキスト識別子情報は、第一アクセスネットワーク装置において第一端末装置に関する前記第一端末装置のアクセス層コンテキスト情報を識別するために用いられる取得ユニットと、
第二アクセスネットワーク装置が前記アクセス層コンテキスト識別子情報に対応する前記第一アクセスネットワーク装置から前記アクセス層コンテキスト情報を取得できるように、第一端末装置にネットワークサービスを提供する前記第二アクセスネットワーク装置に前記アクセス層コンテキスト識別子情報を送信するための送信ユニットと、を含むことを特徴とする、前記無線通信用の装置。
【国際調査報告】
2021500766.tif 000010
2021500766.tif 000011
2021500766.tif 000012
2021500766.tif 000013